(57)【要約】【課題】  機器から発せられる騒音レベルをユーザの意思によって自由に設定できるとともに、周辺の騒音レベルに応じてユーザの設定した騒音レベルをより使い勝手の良い方向に自動的に変更する。【解決手段】  制御部１０は、レコーダ本体内で発生する騒音のレベルを複数段階のレベルに区分するとともに、各レベルについて使用可能な機能ブロック（ＨＤＤ５及びＤＶＤ６）を設定した使用制限制御用テーブルを使用し、ユーザにより任意の騒音レベルが選択（設定）されたとき、選択された騒音レベルに基づき、使用制限制御用テーブルを参照して使用可能な機能を制限する。例えば、ＤＶＤ６のみ使用を可能としＨＤＤ６は使用を制限する、またはＤＶＤ６とＨＤＤ５の双方の使用を可能とするといった制御を行うことで、機器の騒音を制御する。【選択図】  図１
2006134416.tif 000002
【特許請求の範囲】
【請求項１】
機器内に発熱を伴う複数の機能ブロックが搭載されているとともに、これら機能ブロックの発熱による機器内の温度上昇を冷却ファンの回転制御によって冷却するように構成された電子機器において、
前記機器内で発生する騒音のレベルを低、中、高の３段階に設定するとともに、ユーザにより任意の騒音レベルが選択されたとき、当該騒音レベルに基づいて使用可能な機能ブロックを制限する使用制限制御手段と
機器周辺の外部騒音を検知する外部騒音検知手段とを備えており、
前記複数の機能ブロックがＤＶＤ及びＨＤ等の光ディスクであり、
前記使用制限制御手段は、騒音レベルが低に設定されている場合には前記ＤＶＤの再生のみを使用可能とし、騒音レベルが中に設定されている場合には前記ＤＶＤの記録と再生とを使用可能とし、騒音レベルが高に設定されている場合には前記ＤＶＤ及び前記ＨＤの双方を含む機器内の全ての機能を使用可能とするように使用制限制御を行うとともに、前記外部騒音検知手段により検知される機器外部の騒音レベルに基づき、ユーザによって設定された前記騒音レベルの設定を上げる方向にのみ変更し、上げた騒音レベルを下げる場合にはユーザが設定した騒音レベルまでとすることを特徴とする電子機器。
【請求項２】
機器内に発熱を伴う複数の機能ブロックが搭載されているとともに、これら機能ブロックの発熱による機器内の温度上昇を冷却ファンの回転制御によって冷却するように構成された電子機器において、
前記機器内で発生する騒音のレベルを複数段階のレベルに設定するとともに、ユーザにより任意の騒音レベルが選択されたとき、当該騒音レベルに基づいて使用可能な機能ブロックを制限する使用制限制御手段を備えたことを特徴とする電子機器。
【請求項３】
前記複数の機能ブロックがＤＶＤ及びＨＤ等の光ディスクであり、前記騒音レベルが低、高の２段階に設定されており、
前記使用制限制御手段は、騒音レベルが低に設定されている場合には前記ＤＶＤのみを使用可能とし、騒音レベルが高に設定されている場合には前記ＤＶＤ及び前記ＨＤの双方を含む機器内の全ての機能を使用可能とするように使用制限制御を行うことを特徴とする請求項２に記載の電子機器。
【請求項４】
前記複数の機能ブロックがＤＶＤ及びＨＤ等の光ディスクであり、前記騒音レベルが低、中、高の３段階に設定されており、
前記使用制限制御手段は、騒音レベルが低に設定されている場合には前記ＤＶＤの再生のみを使用可能とし、騒音レベルが中に設定されている場合には前記ＤＶＤの記録と再生とを使用可能とし、騒音レベルが高に設定されている場合には前記ＤＶＤ及び前記ＨＤの双方を含む機器内の全ての機能を使用可能とするように使用制限制御を行うことを特徴とする請求項２に記載の電子機器。
【請求項５】
機器周辺の外部騒音を検知する外部騒音検知手段を備えており、
前記使用制限制御手段は、前記外部騒音検知手段により検知される機器外部の騒音レベルに基づき、ユーザによって設定された前記騒音レベルの設定を変更することを特徴とする請求項２または請求項３に記載の電子機器。
【請求項６】
前記騒音レベルの設定の変更は、ユーザが設定した騒音レベルを上げる方向にのみ変更し、上げた騒音レベルを下げる場合にはユーザが設定した騒音レベルまでとすることを特徴とする請求項５に記載の電子機器。
【発明の詳細な説明】
【技術分野】
【０００１】
本発明は、機器内に発熱を伴う複数の機能ブロックが搭載されているとともに、これら機能ブロックの発熱による機器内の温度上昇を冷却ファンの回転制御によって冷却するように構成された、例えばＨＤＤ（Hard Disk Drive）内蔵ＤＶＤ（Digital Versatile Disk）レコーダ等の電子機器に関する。
【背景技術】
【０００２】
一般に、ＨＤＤ内蔵ＤＶＤレコーダ等の電子機器は、機器内に発熱を伴う複数の機能ブロック（ＨＤＤやＤＶＤ）が搭載されている。これらの機能ブロックは駆動することによって発熱し、機器内の温度が上昇することになる。そのため、通常は、これら機能ブロックの近傍に温度センサを設け、この温度センサによる検知温度に基づいて冷却ファンの回転数等を制御して機器内を冷却し、温度上昇を抑制するようになっている。この場合、冷却ファンの回転数をむやみに上げると騒音が問題となってくる。
【０００３】
そこで、このような騒音の問題を解決する技術が提案されている（例えば、特許文献１，２参照）。
【０００４】
上記特許文献１には、温度センサ出力に応じて冷却ファンの回転数を制御するとともに、周囲の騒音レベルが所定値を超えたときには冷却ファンを強風モードで回転させることにより、発熱部の温度上昇を抑えることが記載されている。また、上記特許文献２には、使用環境の騒音が大きい場合には、冷却ファンの回転数を増加させるとともに、ＣＰＵ性能を向上させる一方、使用環境の騒音が小さい場合には、冷却ファンの回転数を減少させるとともに、ＣＰＵ性能を低下させることが記載されている。
【特許文献１】特開２００４−２９４８５号公報
【特許文献２】特開２００２−１９６８４１号公報
【発明の開示】
【発明が解決しようとする課題】
【０００５】
上記特許文献１では、周囲の騒音レベルが所定値を超えた場合には、無条件で冷却ファンを強風モードで回転させるものであるが、これとは別に、温度センサ出力による冷却ファンの回転制御も常時行っているため、周囲の騒音レベルが所定値を超えなくても、温度センサ出力が高温レベルになると、冷却ファンはやはり強風モードで回転することになる。つまり、周囲の騒音が小さくても、機器から大きな騒音が発せられることになり、騒音問題を十分に解決できているとは言えないといった問題があった。
【０００６】
また、上記特許文献２では、使用環境に応じて冷却ファンの回転数とＣＰＵの性能とを同時に制御するものであるが、ＣＰＵの性能自体を変えることはコンピュータの処理能力に係わる重大な問題を引き起こす可能性もあるため、あまり好ましい方法とは言えないといった問題があった。
【０００７】
ところで、電子機器から発せられる騒音、具体的には冷却ファンの回転による騒音をどの程度まで許容できるかは、これを使用するユーザによって異なる。また、使用状況によっては、多少騒音が大きくてもその電子機器をフル機能で使用したい場合がある一方で、騒音自体はさほど大きくないけれども、それでも騒音をさらに低減したいと考える場合もある。つまり、電子機器から発せられる騒音をユーザが許容できるレベルは、ユーザごとに異なるだけでなく、使用環境や使用状況によっても異なるものである。
【０００８】
本発明はかかる点に着目して上記問題点を解決すべく創案されたもので、その目的は、機器から発せられる騒音レベルをユーザの意思によって自由に設定できるとともに、周辺の騒音レベルに応じてユーザの設定した騒音レベルをより使い勝手の良い方向に自動的に変更することのできる電機機器を提供することにある。
【課題を解決するための手段】
【０００９】
上記課題を解決するため、本発明の電子機器は、機器内に発熱を伴う複数の機能ブロックが搭載されているとともに、これら機能ブロックの発熱による機器内の温度上昇を冷却ファンの回転制御によって冷却するように構成された電子機器において、前記機器内で発生する騒音のレベルを複数段階のレベルに設定するとともに、ユーザにより任意の騒音レベルが選択されたとき、当該騒音レベルに基づいて使用可能な機能ブロックを制限する使用制限制御手段を備えたことを特徴としている。
【００１０】
すなわち、本発明では、騒音レベルを設定することで、実質的に使用できる機能を制限するものであり、騒音レベル自体を実際に設定しているものではない。つまり、使用できる機能を温度上昇の少ない機能のみに制限することで、機器内の温度上昇を実質的に抑え、その結果、温度センサ出力により制御されている冷却ファンの回転数が上がらないような機内環境を創出することで、騒音の発生を低減しようとするものである。
【００１１】
ここで、前記複数の機能ブロックがＤＶＤ及びＨＤ等の光ディスクであり、前記騒音レベルが低、高の２段階に設定されており、前記使用制限制御手段は、騒音レベルが低に設定されている場合には前記ＤＶＤのみを使用可能とし、騒音レベルが高に設定されている場合には前記ＤＶＤ及び前記ＨＤの双方を含む機器内の全ての機能を使用可能とするように使用制限制御を行う。
【００１２】
また、前記騒音レベルが低、中、高の３段階に設定されており、前記使用制限制御手段は、騒音レベルが低に設定されている場合には前記ＤＶＤの再生のみを使用可能とし、騒音レベルが中に設定されている場合には前記ＤＶＤの記録と再生とを使用可能とし、騒音レベルが高に設定されている場合には前記ＤＶＤ及び前記ＨＤの双方を含む機器内の全ての機能を使用可能とするように使用制限制御を行う。
【００１３】
このように、本発明によれば、騒音レベルをユーザの意思によって自由に設定できるので、例えばＤＶＤの再生しか使用しない場合には、騒音レベルを低に設定しておいて、使用できる機能をＤＶＤ再生のみに制限する。これにより、機器内の温度上昇が実質的に抑えられるので、機器からの騒音を低減することができる。
【００１４】
また、本発明によれば、機器周辺の外部騒音を検知する外部騒音検知手段をさらに備えており、前記使用制限制御手段は、前記外部騒音検知手段により検知される機器外部の騒音レベルに基づき、ユーザによって設定された前記騒音レベルの設定を変更するように構成してもよい。この場合、前記騒音レベルの設定の変更は、ユーザが設定した騒音レベルを上げる方向にのみ変更し、上げた騒音レベルを下げる場合にはユーザが設定した騒音レベルまでとする。
【００１５】
このように、基本的にはユーザによる騒音レベルの設定を優先する一方で、外部騒音が大きいために、ユーザによる騒音レベルの設定より高い騒音レベルに設定を変更しても機器の騒音が気にならないと判断できた場合には、自動的に騒音レベルを上げることで、機器の機能制限が緩和され、ユーザにとって使い勝手のよいものとなる。一方、自動的に騒音レベルを上げた後、外部騒音が小さくなったため、そのままでは機器の騒音が気になる状況となった場合には、機器の騒音レベルを、ユーザが設定した騒音レベルを限度として、下げる方向に変更する。例えば、ユーザの設定した騒音レベルが「中」であるのに対し、外部騒音が大きくなったために自動的に騒音レベルを「高」に変更したが、その後、外部騒音が小さくなった場合には、騒音レベルを再び「中」に変更する。この場合、外部騒音がほとんど無い状態であっても、騒音レベルを「低」までは変更しない。これは、ユーザが騒音レベルとして「中」を設定している場合には、ＤＶＤの再生のみならず記録も使用する可能性が高く、この場合に騒音レベルをユーザ設定より低い「低」に変更したのでは、ユーザの意図するＤＶＤの記録が行えず、使い勝手の悪いものとなるからである。
【発明の効果】
【００１６】
本発明の電子機器によれば、ユーザの意思によって機器の騒音レベルを自由に設定することができる。また、本発明の電子機器によれば、ユーザによる騒音レベルの設定を優先する一方で、外部騒音が大きいために、ユーザによる騒音レベルの設定より高い騒音レベルに設定を変更しても機器の騒音が気にならないと判断できた場合には、自動的に騒音レベルを上げて機器の機能制限を緩和するように構成したので、ユーザにとって使い勝手のよいものとなる。
【発明を実施するための最良の形態】
【００１７】
以下、本発明の実施の形態について、図面を参照して説明する。
【００１８】
図１は、本発明の電子機器の実施形態であるＨＤ内蔵ＤＶＤレコーダ（以下、単に「ＤＶＤレコーダ」という。）の電気的構成を示すブロック図である。
【００１９】
このＤＶＤレコーダは、映像信号を受信するテレビチューナを内蔵した受信部１、受信部１で受信したアナログ映像信号をデジタル映像信号に変換するＡ／Ｄ変換部２、外部から入力されてくるアナログ映像信号をデジタル映像信号に変換するＡ／Ｄ変換部３、これらＡ／Ｄ変換部２、３で変換されたデジタル映像信号（映像データ）をＭＰＥＧ方式で圧縮処理するとともに、圧縮処理された映像データを元の映像データに復元するデジタル映像信号処理部４、デジタル映像信号処理部４で圧縮処理された映像データを記録（録画）する内蔵型ハードディスクドライブ（ＨＤＤ）５及びＤＶＤドライブ６、デジタル映像信号処理部４によってＨＤＤ５またはＤＶＤ６から読み出され（再生され）、元の映像データに復元された映像データをデジタル信号からアナログ信号に変換するＤ／Ａ変換部７、Ｄ／Ａ変換部７によりアナログ信号に変換された映像データを画面表示するモニタ８、圧縮処理時や伸張処理時に映像データを一旦格納するバッファとしてのメモリ部（Ｄ−ＲＡＭ等）９、装置全体の動作を制御する制御部１０、レコーダ本体内の温度を検出する温度センサ１１、レコーダ本体内を冷却する図示しない冷却ファンを駆動する冷却ファン駆動部１２、レコーダ本体外部の騒音（すなわち、機器周辺の外部騒音）を検知するマイク等を備えた外部騒音検知部１３、制御部１０に各種キー操作信号を入力するキー入力部１４、各種キー操作信号を受信するキー受信部１５、各種キー（ボタン）操作を行うリモコン１６によって構成されている。
【００２０】
また、制御部１０は、図示は省略しているが、演算制御部であるＣＰＵ、各種動作プログラムや後述する使用制限制御用テーブルを格納しているＲＯＭ、各種データを格納するとともに各種機能の動作時にはワークエリアとして働くＲＡＭ等によって構成されている。
【００２１】
制御部１０は、レコーダ本体内で発生する騒音のレベルを複数段階のレベルに区分し、各レベルについて使用可能な機能ブロック（本実施形態では、ＨＤＤ５及びＤＶＤ６）を設定した上記使用制限制御用テーブルを使用し、ユーザにより任意の騒音レベルが選択（設定）されたとき、選択された騒音レベルに基づき、使用制限制御用テーブルを参照して使用可能な機能ブロックを制限する使用制限制御を行うようになっている。
【００２２】
本実施形態では、使用制限の対象となる機能ブロックとしてＨＤＤ５とＤＶＤ６の２つを例示している。ＨＤＤ５とＤＶＤ６とを比べると、ＨＤＤ５を使用しているときの発熱量の方が、ＤＶＤ６を使用しているときの発熱量よりも多い。また、ＤＶＤ６の使用時においても、ＤＶＤ６の記録時と再生時とでは発熱量が異なり、記録時の方が再生時よりも発熱量が多い。本実施形態では、このような発熱条件を前提として使用制限制御を行っている。
【００２３】
以下、この使用制限制御の実施例について詳細に説明する。
【実施例１】
【００２４】
図２は、本実施例１による使用制限制御用テーブルＴ１の構成例を示している。
【００２５】
この使用制限用制御テーブルＴ１は、レコーダ本体内で発生する騒音のレベルが２段階（「低」、「高」）のレベルに区分されており、各レベルについて使用可能な機能ブロックが設定されている。この例では、騒音レベル「低」に対して、使用可能な機能ブロックとしてＤＶＤの記録と再生とが設定されており、騒音レベル「高」に対して、使用可能な機能ブロックとして、ＨＤＤの記録と再生及びＤＶＤの記録と再生を含む全機能が設定されている。
【００２６】
次に、上記構成の使用制限制御用テーブルＴ１を使用して使用可能な機能ブロックを制限する使用制限制御処理について、図３に示すフローチャートを参照して説明する。
【００２７】
例えば、リモコン１６の図示しない電源ボタンが操作されることによってＤＶＤレコーダの電源がオンされると、制御部１０は、ユーザによって騒音レベルが設定されたか否かを判断する（ステップＳ１）。ユーザによる騒音レベルの設定は、例えばリモコン１６に設定ボタンが設けられており、この設定ボタンを操作することによって行われる。または、モニタ８に表示される図示しないメニュー画面から騒音レベルを設定するようにしてもよい。
【００２８】
ここで、騒音レベルが設定されている場合（ステップＳ１でＹｅｓと判断された場合）には、次にその設定が「低」であるか否かを判断する（ステップＳ２）。その結果、騒音レベルの設定が「低」である場合（ステップＳ２でＹｅｓと判断された場合）には、制御部１０は、使用制限制御用テーブルＴ１から使用可能な機能ブロックを抽出し、その抽出した機能ブロックのみ使用可能となるように使用制限を行う（ステップＳ３）。すなわち、この場合には、ＤＶＤ６での記録と再生とのみを使用可能とし、ＨＤＤ５の使用を制限（禁止）する。
【００２９】
一方、騒音レベルの設定が「低」でない場合には、次に騒音レベルの設定が「高」であるか否かを判断する（ステップＳ４）。その結果、騒音レベルの設定が「高」である場合（ステップＳ４でＹｅｓと判断された場合）には、制御部１０は、使用制限制御用テーブルＴ１から使用可能な機能ブロックを抽出し、その抽出した機能ブロックのみ使用可能となるように使用制限を行う（ステップＳ５）。すなわち、この場合には、ＤＶＤ６の記録と再生、及びＨＤＤ５の記録と再生を含む全機能を使用可能とする。
【００３０】
なお、ステップＳ１でＮｏと判断された場合（すなわち、騒音レベルが設定されていない場合）には、ステップＳ５へと処理を進め、全機能を使用可能とする。また、ステップＳ４でＮｏと判断された場合には、ステップＳ６へと処理を進め、エラー処理（例えば、ニモタ８の画面に「騒音レベルの設定にエラーが発生しました。」等のメッセージを表示する等）を行って、処理を終了する。
【実施例２】
【００３１】
図４は、本実施例２による使用制限制御用テーブルＴ２の構成例を示している。
【００３２】
この使用制限用制御テーブルＴ２は、レコーダ本体内で発生する騒音のレベルが３段階（「低」、「中」、「高」）のレベルに区分されており、各レベルについて使用可能な機能ブロックが設定されている。この例では、騒音レベル「低」に対して、使用可能な機能ブロックとしてＤＶＤの再生のみが設定されており、騒音レベル「中」に対して、使用可能な機能ブロックとしてＤＶＤの記録と再生とが設定されており、騒音レベル「高」に対して、使用可能な機能ブロックとして、ＨＤＤの記録と再生及びＤＶＤの記録と再生を含む全機能が設定されている。
【００３３】
次に、上記構成の使用制限制御用テーブルＴ２を使用して使用可能な機能ブロックを制限する使用制限制御処理について、図５に示すフローチャートを参照して説明する。
【００３４】
リモコン１６の図示しない電源ボタンが操作されることによってＤＶＤレコーダの電源がオンされると、制御部１０は、ユーザによって騒音レベルが設定されたか否かを判断する（ステップＳ１１）。ユーザによる騒音レベルの設定は、例えばリモコン１６に設定ボタンが設けられており、この設定ボタンを操作することによって行われる。または、モニタ８に表示される図示しないメニュー画面から騒音レベルを設定するようにしてもよい。
【００３５】
ここで、騒音レベルが設定されている場合（ステップＳ１１でＹｅｓと判断された場合）には、次にその設定が「低」であるか否かを判断する（ステップＳ１２）。その結果、騒音レベルの設定が「低」である場合（ステップＳ１２でＹｅｓと判断された場合）には、制御部１０は、使用制限制御用テーブルＴ２から使用可能な機能ブロックを抽出し、その抽出した機能ブロックのみ使用可能となるように使用制限を行う（ステップＳ１３）。すなわち、この場合には、ＤＶＤ６での再生のみを使用可能とし、ＤＶＤ６での記録とＨＤＤ５の使用を制限（禁止）する。
【００３６】
一方、騒音レベルの設定が「低」でない場合には、次に騒音レベルの設定が「中」であるか否かを判断する（ステップＳ１４）。その結果、騒音レベルの設定が「中」である場合（ステップＳ１４でＹｅｓと判断された場合）には、制御部１０は、使用制限制御用テーブルＴ２から使用可能な機能ブロックを抽出し、その抽出した機能ブロックのみ使用可能となるように使用制限を行う（ステップＳ１５）。すなわち、この場合には、ＤＶＤ６の記録と再生のみを使用可能とする。
【００３７】
一方、騒音レベルの設定が「中」でない場合には、次に騒音レベルの設定が「高」であるか否かを判断する（ステップＳ１６）。その結果、騒音レベルの設定が「高」である場合（ステップＳ１６でＹｅｓと判断された場合）には、制御部１０は、使用制限制御用テーブルＴ２から使用可能な機能ブロックを抽出し、その抽出した機能ブロックのみ使用可能となるように使用制限を行う（ステップＳ１７）。すなわち、この場合には、ＤＶＤ６の記録と再生、及びＨＤＤ５の記録と再生を含む全機能を使用可能とする。
【００３８】
なお、ステップＳ１１でＮｏと判断された場合（すなわち、騒音レベルが設定されていない場合）には、ステップＳ１７へと処理を進め、全機能を使用可能とする。また、ステップＳ１６でＮｏと判断された場合には、ステップＳ１８へと処理を進め、エラー処理（例えば、ニモタ８の画面に「騒音レベルの設定にエラーが発生しました。」等のメッセージを表示する等）を行って、処理を終了する。
【実施例３】
【００３９】
図６は、本実施例３による使用制限制御用テーブルＴ３の構成例を示している。
【００４０】
この使用制限用制御テーブルＴ３は、レコーダ本体内で発生する騒音のレベルが３段階（「低」、「中」、「高」）のレベルに区分されており、各レベルについて使用可能な機能ブロックが設定されている。この例では、騒音レベル「低」に対して、使用可能な機能ブロックとしてＤＶＤの再生のみが設定されており、騒音レベル「中」に対して、使用可能な機能ブロックとしてＤＶＤの記録と再生とが設定されており、騒音レベル「高」に対して、使用可能な機能ブロックとして、ＨＤＤの記録と再生及びＤＶＤの記録と再生を含む全機能が設定されている。また、本実施例３では、「低」の騒音レベルと「中」の騒音レベルとに対して、外部騒音との比較基準となる基準レベルＬ１，Ｌ２（ただし、Ｌ１＜Ｌ２）が設定されている。この基準レベルＬ１，Ｌ２は、ユーザが設定した騒音レベルより高い騒音レベルに設定を変更しても機器の騒音が気にならないと判断できる程度のレベルに設定されている。
【００４１】
次に、上記構成の使用制限制御用テーブルＴ３を使用して使用可能な機能ブロックを制限する使用制限制御処理について、図７に示すフローチャートを参照して説明する。
【００４２】
リモコン１６の図示しない電源ボタンが操作されることによってＤＶＤレコーダの電源がオンされると、制御部１０は、ユーザによって騒音レベルが設定されたか否かを判断する（ステップＳ２１）。ユーザによる騒音レベルの設定は、例えばリモコン１６に設定ボタンが設けられており、この設定ボタンを操作することによって行われる。または、モニタ８に表示される図示しないメニュー画面から騒音レベルを設定するようにしてもよい。
【００４３】
ここで、騒音レベルが設定されている場合（ステップＳ２１でＹｅｓと判断された場合）には、次にその設定が「低」、「中」、「高」のどれであるのかを判断する（ステップＳ２２，Ｓ２３，Ｓ２４）。
【００４４】
その結果、騒音レベルの設定が「低」である場合（ステップＳ２２でＹｅｓと判断された場合）には、制御部１０は、使用制限制御用テーブルＴ３から使用可能な機能ブロックを抽出し、その抽出した機能ブロックのみ使用可能となるように使用制限を行う（ステップＳ２５）。すなわち、この場合には、ＤＶＤ６での再生のみを使用可能とし、ＤＶＤ６での記録とＨＤＤ５の使用を制限（禁止）する。
【００４５】
また、騒音レベルの設定が「中」である場合（ステップＳ２２でＮｏ、ステップＳ２３でＹｅｓと判断された場合）には、制御部１０は、使用制限制御用テーブルＴ３から使用可能な機能ブロックを抽出し、その抽出した機能ブロックのみ使用可能となるように使用制限を行う（ステップＳ２７）。すなわち、この場合には、ＤＶＤ６の記録と再生のみを使用可能とし、ＨＤＤ５の使用を制限（禁止）する。
【００４６】
また、騒音レベルの設定が「高」である場合（ステップＳ２２でＮｏ、ステップＳ２３でＮｏ、ステップＳ２４でＹｅｓと判断された場合）には、制御部１０は、使用制限制御用テーブルＴ３から使用可能な機能ブロックを抽出し、その抽出した機能ブロックのみ使用可能となるように使用制限を行う（ステップＳ３１）。すなわち、この場合には、ＤＶＤ６の記録と再生、及びＨＤＤ５の記録と再生を含む全機能を使用可能とする。
【００４７】
一方、騒音レベルが「低」に設定されている状態（ステップＳ２５による使用制限の状態）において、制御部１０は、外部騒音検知部１３によって検知された外部騒音のレベルＬｓと、使用制限制御用テーブルＴ３に格納されている騒音レベル「低」に対応する基準レベルＬ１とを比較している（ステップＳ２６）。そして、外部騒音レベルＬｓが基準レベルＬ１を超えている場合（ステップＳ２６でＹｅｓと判断された場合）には、ステップＳ２７へと処理を進め、騒音レベルを「低」から「中」に自動的に変更して、ＤＶＤ６の再生のみならず記録も使用可能とし、ＨＤＤ５の使用を制限（禁止）する。
【００４８】
一方、騒音レベルが「中」に設定された結果、ステップＳ２７の使用制限の状態になっている場合、または騒音レベルは「低」に設定されているもののステップＳ２６での判断の結果、ステップＳ２７の使用制限の状態になっている場合において、制御部１０は、外部騒音検知部１３によって検知された外部騒音のレベルＬｓと、使用制限制御用テーブルＴ３に格納されている騒音レベル「中」に対応する基準レベルＬ２とを比較するとともに（ステップＳ２８）、同じ外部騒音のレベルＬｓと、使用制限制御用テーブルＴ３に格納されている騒音レベル「低」に対応する基準レベルＬ１とを比較する（ステップＳ２９）。
【００４９】
その結果、外部騒音レベルＬｓが基準レベルＬ１を下回った場合（ステップＳ２８でＮｏ、ステップＳ２９でＹｅｓと判断された場合）には、制御部１０は、その時点でのユーザによる騒音レベルの設定が「中」であるか否かを判断し（ステップＳ３０）、「中」である場合（ステップＳ３０でＹｅｓと判断された場合）には、ステップＳ２７の処理に戻り、外部騒音が低くなったとしてもそのまま、ユーザの設定した騒音レベル「中」の使用制限の状態を維持する。一方、ステップＳ３０での判断の結果、ユーザの設定していた騒音レベルが「低」であった場合（ステップＳ３０でＮｏと判断された場合）には、ステップＳ２５の処理に戻り、再びユーザの設定した騒音レベル「低」の使用制限の状態に戻す。
【００５０】
一方、ステップＳ２８の判断において、外部騒音レベルＬｓが基準レベルＬ２を超えている場合（ステップＳ２８でＹｅｓと判断された場合）には、ステップＳ３１へと処理を進め、騒音レベルを「中」から「高」に自動的に変更して、ＤＶＤ６の記録と再生、及びＨＤＤ５の記録と再生を含む全機能を使用可能とする。
【００５１】
一方、騒音レベルが「高」に設定された結果（ステップＳ２４でＹｅｓと判断された結果）、ステップＳ３１の使用制限の状態になっている場合、または騒音レベルは「中」に設定されているもののステップＳ２８での判断の結果、ステップＳ３１の使用制限の状態になっている場合において、制御部１０は、外部騒音検知部１３によって検知された外部騒音のレベルＬｓと、使用制限制御用テーブルＴ３に格納されている騒音レベル「中」に対応する基準レベルＬ２とを比較する（ステップＳ３２）。
【００５２】
その結果、外部騒音レベルＬｓが基準レベルＬ２を下回った場合（ステップＳ３２でＹｅｓと判断された場合）には、制御部１０は、その時点でのユーザによる騒音レベルの設定が「高」であるか否かを判断し（ステップＳ３３）、「高」である場合（ステップＳ３３でＹｅｓと判断された場合）には、ステップＳ３１の処理に戻り、外部騒音が低くなったとしてもそのまま、ユーザの設定した騒音レベル「高」の使用制限の状態を維持する。一方、ステップＳ３３での判断の結果、ユーザの設定していた騒音レベルが「中」であった場合（ステップＳ３３でＮｏと判断された場合）には、ステップＳ２７の処理に戻り、再びユーザの設定した騒音レベル「中」の使用制限の状態に戻す。
【図面の簡単な説明】
【００５３】
【図１】本発明の電子機器の実施形態であるＨＤ内蔵ＤＶＤレコーダの電気的構成を示すブロック図である。
【図２】本発明の実施例１による使用制限制御用テーブルの構成例を示す説明図である。
【図３】本発明の実施例１による使用制限制御処理を説明するためのフローチャートである。
【図４】本発明の実施例２による使用制限制御用テーブルの構成例を示す説明図である。
【図５】本発明の実施例２による使用制限制御処理を説明するためのフローチャートである。
【図６】本発明の実施例３による使用制限制御用テーブルの構成例を示す説明図である。
【図７】本発明の実施例３による使用制限制御処理を説明するためのフローチャートである。
【符号の説明】
【００５４】
１  受信部
２，３  Ａ／Ｄ変換部
４  デジタル映像信号処理部
５  ハードディスクドライブ（ＨＤＤ）
６  ＤＶＤ
７  Ｄ／Ａ変換部
８  モニタ
９  メモリ部
１０  制御部
１１  温度センサ
１２  冷却ファン駆動部
１３  外部騒音検知部
１４  キー入力部
１５  キー受信部
１６  リモコン
【図１】
2006134416.tif 000003
【図２】
2006134416.tif 000004
【図３】
2006134416.tif 000005
【図４】
2006134416.tif 000006
【図５】
2006134416.tif 000007
【図６】
2006134416.tif 000008
【図７】
2006134416.tif 000009